(57)【特許請求の範囲】
【請求項１】
それぞれ毛髪領域の加熱のために備えられた少なくとも二つの熱放射機構を備えた毛髪処理装置において、それぞれの前記熱放射機構（１）は、二つの互いに独立制御可能な熱放射源（２）を備え、前記熱放射源はその放射熱を、空間的に異なる向きに放射するようになっており、かつ、各前記放射源(２)に供給される電気供給量を調整することにより、各前記放射源(２)の運転時の出力が制御できるようになっていることを特徴とする毛髪処理装置。
【請求項２】
少なくとも、いくつかの熱放射源（２）に対して、赤外線放射器（３）を備え付けていることを特徴とする請求項１に記載の毛髪処理装置。
【請求項３】
熱放射源（２）にそれぞれ一つづつ反射器（４）が備え付けられていることを特徴とする請求項１に記載の毛髪処理装置。
【請求項４】
熱放射源（２）に対して共通の反射器（５、６、７）が備え付けられていることを特徴とする請求項１に記載の毛髪処理装置。
【請求項５】
熱放射源（２）の軸に対して垂直な面における反射器（４、５）の断面が角形であることを特徴とする請求項３あるいは請求項４に記載の毛髪処理装置。
【請求項６】
熱放射源（２）の軸に対して垂直な面における反射器（６）の断面が屈曲形であることを特徴とする請求項３あるいは請求項４に記載の毛髪処理装置。
【請求項７】
反射器（６）の断面が楕円形であることを特徴とする請求項６に記載の毛髪処理装置。
【請求項８】
反射器（７）の断面が断片的にそれぞれの熱放射源（２）を囲んで屈曲していることを特徴とする請求項３に記載の毛髪処理装置。
【請求項９】
熱放射機構（１）の解放面（８）が四角形であることを特徴とする請求項１に記載の毛髪処理装置。
【請求項１０】
熱放射機構（１）の解放面（８）が円形であることを特徴とする請求項１に記載の毛髪処理装置。
【請求項１１】
熱放射源（２）が直線形の棒状であることを特徴とする請求項９あるいは請求項１０に記載の毛髪処置装置。
【請求項１２】
熱放射源（２ａ）が屈曲形であることを特徴とする請求項９あるいは請求項１０に記載の毛髪処理装置。
【請求項１３】
熱放射源（２ａ）が管に包囲された熱コイルであることを特徴とする請求項１に記載の毛髪処理装置。
【請求項１４】
複数の熱放射源（２ｂ、２ｃ）が一つの管内に配置されていることを特徴とする請求項１あるいは請求項１３に記載の毛髪処理装置。
【請求項１５】
複数の熱放射源（２ｂ、２ｃ）に対して単一の熱コイルが用いられており、これに対してタップ（１０）が一箇所或いは複数箇所設けられていることを特徴とする請求項１３あるいは請求項１４に記載の毛髪処理装置。
【請求項１６】
二つ以上の熱放射源（２）が制御装置、特にコンピュータによってそれぞれ独自に制御され、それによって様々の対象物に対して相応の熱量で対処できるように放射量が調整されることを特徴とする請求項１に記載の毛髪処理装置。
【発明の詳細な説明】
【０００１】
【産業上の利用分野】
本発明は人の頭髪に対して熱を付与するための熱放射機構、たとえば赤外線放射器を備えた毛髪処理装置に関する。
【０００２】
【従来の技術】
赤外線放射器を備えた毛髪処理装置はすでに公知である。これは、美容院において、湿った毛髪を乾燥するのに、あるいは毛髪処理剤に対して反応熱を供給するのに使用されている。このような毛髪処理装置は一般に複数の熱放射機構を備えていて、それぞれに一つないしは二つの熱放射源が備え付けられている。この場合に特定の方向に熱を集中的に放射するために、熱放射源には反射器が取り付けられている。
【０００３】
公知の毛髪処理装置は、機能的に毛髪の特定の範囲だけに照準が合わされていて、広範囲に使用することができないという難点がある。すなわち熱放射機構は、たとえばショートヘヤーの処置部分にだけ合わされており、ロングヘヤーに対しては熱放射機構の少なくとも一つを調整し直す必要がある。しかしこのような調整を行った後においても、熱放射機構は目的の大きさとは異なる大きさの面しか照射せず、最適の照射を行うことはできない。
【０００４】
【発明が解決しようとする課題】
本発明は、熱放射機構を一つ以上備えた毛髪処理装置において、処置する人に合わせて毛髪処理装置を機能的に調整しなくても、頭部近くの毛髪に対しても、頭部から遠く離れた毛髪に対しても、最適の処置を行うことができるような毛髪処理装置を提供することを課題として出発した。
【０００５】
【課題を解決するための手段】
この課題は特許請求の範囲の第１項の特徴の項の記載に基づいて解決され得る。即ち、本発明の毛髪処理装置は、一つの熱放射機構に対して二つ以上の熱放射源を備えており、これらの熱放射源はそれぞれ独自に制御可能となっている。
【０００６】
本発明による毛髪処理装置は、ショートヘヤーに対してもロングヘヤーに対しても有効に適用することができ、またその場合に毛髪処理装置ないしは熱放射機構を機械的に調整しなくても、最適の照射特性を与えることができるという長所を有する。熱放射機構の熱放射源は使用状況に応じて個別に制御される。すなわち熱放射源は強出力においてもあるいは弱出力においても運転することができ、さらには完全な遮断も可能である。熱放射源は全ての毛髪に対して効果的に適用できるように所定の位置に配置されているが、熱放射源が状況に応じて個別に制御されるので、個々の事例に対して最適の処置を行うことができる。
【０００７】
請求項２ないし１６には、本発明のその他の好ましい実施形態が記載されている。例えば、熱放射源として赤外線放射器が備え付けられていることによって（請求項２）、毛髪処理装置は毛髪の加熱ないしは毛髪の乾燥に使用することができる。熱放射機構の熱放射源が個々に制御されることによって、熱放射機構の熱供給量は多様に調整され得る。また、たとえば片方の放射角度が強く、他方の放射角度が弱い場合には、片方の熱放射機構を特別に特定の放射角に対して使用することができる。さらに隣接の熱放射機構を調整することによって、放射源の作用を補完することもできる。
【０００８】
また、一つの熱放射機構に二つの放射源を備え付けることによって、熱放射機構の出力を変えることができ、それによって一般的な使用に十分対応することができる。またその場合技術的に難なく熱放射機構を使いこなすことができる。
【０００９】
放射源に反射器を備え付けることによって、効率的な照射を行うことができるという利点があり、また、放射源にそれぞれ一つづつ反射器を備え付けた実施形態においては（請求項３）、個々の放射光の方向は互いに無関係に個別に調整される。更に、放射源に共通の反射器を備え付けた場合には（請求項４）、反射器に対する材料費を最小に抑え、かつ放射方向を均一とすることができる。
【００１０】
放射源の軸に対して垂直な面における反射器の断面の形態としては、角形（請求項５）あるいは屈曲形（請求項６）が考えられる。断面が楕円形である場合（請求項７）、比較的一様な放射光が得られる。その場合に放射源が楕円の焦点に配置されている場合、平行な放射光を得ることができる。共通の反射器において、反射器の断面が断片的に熱放射源（２）をそれぞれ囲んで屈曲しているという実施形態をとることによって（請求項８）、各放射源から個々別々に放射光を放射させるということも可能である。
【００１１】
原理的には熱放射機構の解放面に対しては、考えられる限りすべての形態を受容することができる。しかし熱放射機構の解放面の形態として四角形（請求項９）あるいは円形（請求項１０）を採用することによって、市場において一般的な放射源を非常に有効に使用することができる。直線状あるいは曲線状の放射源（請求項１１あるいは請求項１２）は特に有用である。特別な放射特性を得るために、本発明の好ましい実施形態においては、四角形の熱放射機構に円形の放射源、円形の熱放射機構にまっすぐな棒状放射源、あるいは円形ないしは四角形の熱放射機構に円形および直線形の組合せ放射源が採用される。
【００１２】
放射源としての赤外線放射器は、周囲が管で包まれた熱コイルの形態であることが、より安全で望ましい（請求項１３）。原則的に一つの管内に複数の熱放射源が配置されている（請求項１４）。熱コイルはガラス管によって保護されている。処置を受ける人を保護するために、熱放射機構には補助的に保護格子を取り付けることができる。熱コイルに対して複数のタップ（Abgriff)が設けられているという実施形態においては、一つの熱コイルによって複数の放射源が形成される。タップは電気路であり、これによって熱コイルの個々の部分に電気が供給される。通される電流の大きさに応じて、熱コイルのある部分が強く、あるいは弱く熱せられ、それに応じて赤外線が多量にあるいは少量放射される。
【００１３】
【実施例】
次に図面に示されている実施例に基づいて本発明をさらに詳しく説明する。
熱放射機構１を備えた毛髪処理装置において、熱放射機構１にはそれぞれ二つの熱放射源２が備え付けられている（図１、図２）。熱放射源２は赤外線放射器３である。赤外線放射器３はそれぞれ角形の反射器４で囲まれている。二つの熱放射源２は互いに関係なく独自に制御することができ、それによって選択的に一方の熱放射源２あるいは他方の熱放射源２の強度を高めること、あるいは低めることができ、さらにはこれらの回路を遮断あるいは接続することができる。熱放射機構１は、毛髪処理装置の残り全ての放射機構１と共に、通常毛髪処理に先だって接続される。その場合に熱放射源２の熱供給量はコンピュータプログラムによって設定される。コンピュータプログラムにおいては被処理物の状態、たとえばショートへヤーであるか、ロングヘヤーであるか、あるいは毛髪処理装置に装置された送風器が運転されているか、あるいはまた特殊な毛髪処理であるか、たとえばパーマネントウエーブ加工が予定されているかなどが考慮されている。さらに処理時間の長さもプログラムされている。所望の乾燥度に応じて、あるいは毛髪中における残留水分量に応じて、個々の熱放射機構１並びに個々の熱放射源２の運転時間が設定される。その場合に特定の密度の毛髪部分に対応する熱放射源２は、それよりも早く暖めることができる、あるいは早く乾燥することができる毛髪部分に対応する熱放射源２よりも、長時間あるいは強い出力で運転される。また個々の熱放射源２においてもその時々で出力を変えることができる。たとえば乾燥工程開始時は比較的強い出力で乾燥を行い、毛髪が相当に乾燥した時点で出力を落として乾燥を行うという方式も考慮される。
【００１４】
反射器４は、熱放射源２の軸に対して垂直な断面においては、角形の形態を有する（図１）。
【００１５】
反射器５は二つの熱放射源２を取り囲んでいる（図３、図４）。一方の熱放射源２が反射器５内のほぼ中央に配置されているのに対して、もう一方の熱放射源２は中央から離れた位置に配置されている。これによって熱放射機構１から出る下方斜め方向の照射線の量が限定される。この形態の熱放射機構１は後頭部の照射に適する。中央に配置されている熱放射源２によって後頭部が一様な照射処理されるのに対して、中央から離れた位置にある熱放射源２はロングヘヤーの毛先部分の照射に対してのみ補助的に使用される。
【００１６】
楕円形曲面を有する反射器６は（図５、図６）、角形の反射器４、５に比べて、均一な照射特性を有する。これに対して断面が熱放射源２を断片的に取り囲んで屈曲している形態の反射器７の場合は（図７、図８）、角形反射器と楕円形反射器の中間の照射特性を有する。
【００１７】
熱放射機構１の解放面、すなわち放射線の放出面８は、四角形（図１ないし８）、円形（図９ないし１４）、あるいはその他いずれの形態であっても差し支えない。
【００１８】
図９および図１０には、まっすぐな棒状の熱放射源２を二つ備えた円形の熱放射機構１が示されている。熱放射源２はそれぞれ角形の反射器４によって囲まれている。
【００１９】
円形の熱放射機構１においては屈曲形熱放射源２ａを採用することができる（図１１、図１２）。この場合は熱放射源２は楕円形曲面を有する反射器６によって囲まれている。赤外線放射器３によって構成されている屈曲形熱放射源２ａは、その端部において、それぞれ電気供給路９を備えている。
【００２０】
図１３および図１４には楕円形曲面を有する反射器６を備えた円形の熱放射機構１が示されている。熱放射源２ｂ、２ｃは一方が電気供給路９によって、他方がタップ(Abgriff) １０によって区切られている。供給路９とタップ１０間の電圧によって熱放射源２ｂ、２ｃの照射出力が規定される。熱放射源２として管によって被覆された熱コイルが使用される。タップ１０は熱コイルと連結されている。
【図面の簡単な説明】
【図１】熱放射源を二つ備えた熱放射機構の垂直断面図である。この場合は熱放射源にそれぞれ角形の反射器が一つづつ備え付けられている。
【図２】図１に示されている対象物の側面図である。
【図３】熱放射源を二つ備えた熱放射機構の垂直断面図であり、この場合は両熱放射源を囲む角形の反射器が一つ備え付けられている。
【図４】図３に示されている対象物の側面図である。
【図５】熱放射源を二つ備えた熱放射機構の垂直断面図であり、この場合は両熱放射源を囲む楕円形曲面を有する反射器が一つ備え付けられている。
【図６】図５に示されている対象物の側面図である。
【図７】熱放射源を二つ備えた熱放射機構の垂直断面図であり、この場合は両熱放射源を断片的に囲む楕円形曲面を有する反射器が一つ備え付けられている。
【図８】図７に示されている対象物の側面図である。
【図９】熱放射源を二つ備えた円形熱放射機構の垂直断面図であり、この場合は熱放射源にそれぞれ角方形の反射器が一つづつ備え付けられている。
【図１０】図９に示されている対象物の側面図である。
【図１１】半円形熱放射源を二つ備えた熱放射機構の垂直断面図であり、この場合は両熱放射源を囲む楕円形曲面を有する反射器が一つ備え付けられている。
【図１２】図１１に示されている対象物の側面図である。
【図１３】楕円形曲面を有する反射器を備えた円形熱放射機構の垂直断面図であり、この場合は熱放射源は熱コイルによって構成されており、熱コイルは管によって包囲されており、熱コイルの周囲に反射器が装置されており、熱コイルにはタップが設けられている。
【図１４】図１３に示されている対象物の側面図である。
【符号の説明】
１                熱放射機構
２、２ｂ、２ｃ    熱放射源
２ａ              屈曲形熱放射源
３                赤外線放射源
４                反射器（角形単一反射器）
５                反射器（角形複合反射器）
６                反射器（楕円形複合反射器）
７                反射器（断片的に屈曲）
８                解放面
９                電気供給路
１０              タップ
【図１】
0003698271.tif 000002
【図２】
0003698271.tif 000003
【図３】
0003698271.tif 000004
【図４】
0003698271.tif 000005
【図５】
0003698271.tif 000006
【図６】
0003698271.tif 000007
【図７】
0003698271.tif 000008
【図８】
0003698271.tif 000009
【図９】
0003698271.tif 000010
【図１０】
0003698271.tif 000011
【図１１】
0003698271.tif 000012
【図１２】
0003698271.tif 000013
【図１３】
0003698271.tif 000014
【図１４】
0003698271.tif 000015